(57)【要約】【課題】突出状態及び収納状態に変化し得る操作パネル部を備えたガスコンロにおいて、操作パネル部の操作面が露出した状態にあるときに操作面を明るく照らすことができる構成を、より簡易に実現する。【解決手段】ガスコンロ１は、所定の操作面９０Ａを有するとともに下パネル部８０Ａと一体的に変位する構成をなし、下パネル部８０Ａが第２位置にあるときに一部が上パネル部７０Ａよりも前側に突出し且つ操作面９０Ａが上側を向くように配置される突出位置となり、下パネル部８０Ａが第１位置のときに突出位置のときよりも後方側に退避した収納位置となる操作パネル部９０を備えている。また、ガスコンロ１は、上パネル部７０Ａの前面よりも後方側に設けられる光源７２を備えている。また、ガスコンロ１は、操作パネル部９０が突出位置にある状態で光源７２から照明光が照射されたときに、光源７２からの照明光の少なくとも一部が操作面９０Ａに照射される。【選択図】図６
2020051663.tif 000002
【特許請求の範囲】
【請求項１】
ガスバーナと、
前記ガスバーナを収容する筐体部と、
を備えたガスコンロであって、
前記筐体部に固定され、前記ガスコンロの前面部の一部をなす上パネル部と、
前記上パネル部の下側に設けられ、所定の第１位置と、前記第１位置のときよりも少なくとも一部が前方側に位置する第２位置と、の間で変位する下パネル部と、
所定の操作面を有するとともに前記下パネル部と一体的に変位する構成をなし、前記下パネル部が前記第２位置にあるときに少なくとも一部が前記上パネル部よりも前側に突出し且つ前記操作面が上側を向くように配置される突出位置となり、前記下パネル部が前記第１位置のときに前記突出位置のときよりも後方側に退避した収納位置となる操作パネル部と、
前記上パネル部の前面よりも後方側に設けられる光源と、
を備え、
前記操作パネル部が前記突出位置にある状態で前記光源から照明光が照射されたときに、前記光源からの照明光の少なくとも一部が前記操作面に照射される
ガスコンロ。
【請求項２】
前記光源の前側且つ下側に配置されるとともに前記光源から照射される照明光を前方側に透過させる透過部を備え、
前記透過部は、前記上パネル部における下端側の一部として、又は前記上パネル部と前記下パネル部との間に配置された構成で設けられている請求項１に記載のガスコンロ。
【請求項３】
前記透過部の前面と前記上パネル部の前面とが面一状に配置される請求項２に記載のガスコンロ。
【請求項４】
前記操作パネル部が前記収納位置又は前記突出位置のいずれの位置であるかを検知する検知部と、
前記検知部の検知結果に基づき、前記操作パネル部が前記収納位置にある場合に前記光源を非照射状態とし、前記操作パネル部が前記突出位置にある場合に前記光源を照射状態にする制御を行う制御部と、
を備える請求項１から請求項３のいずれか一項に記載のガスコンロ。
【発明の詳細な説明】
【技術分野】
【０００１】
本発明は、ガスコンロに関するものである。
【背景技術】
【０００２】
特許文献１のガスコンロは、コンロ本体の前側面におけるグリルの右側の下方箇所にコンロバーナ用設定操作部が開閉自在に設けられている。コンロバーナ用設定操作部の上面部には、標準火力バーナ、小火力バーナ及び大火力バーナの夫々に対する設定を行うコンロ用操作パネルが設けられている。コンロ用操作パネルが有する左コンロ操作部は、高温炒めスイッチ、湯沸しスイッチ、温度キープスイッチ、タイマースイッチ、取消スイッチ等を備えている。
【先行技術文献】
【特許文献】
【０００３】
【特許文献１】特開２０１７−２０９１８６号公報
【発明の概要】
【発明が解決しようとする課題】
【０００４】
特許文献１のようなガスコンロは、ユーザがコンロ用操作パネルを目視で確認しつつ、適切な操作（所定のボタンの押下）を行うことで、機器に所望の動作を行わせる。しかしながら、ガスコンロの設置場所や使用状況によっては、十分な光が得られず操作パネル付近が暗くなってしまい、操作を行い難くなるという問題が生じてしまう。
【０００５】
このような問題に対して、例えば、操作パネル付近を照らすような専用の照明器具を、ガスコンロの設置場所付近に設けるという対策が考えられる。しかしながら、このようにガスコンロの周辺に専用の照明器具を別途設けると、ガスコンロの周辺が煩雑になってしまい、ガスコンロを用いた調理の妨げになる虞がある。
【０００６】
本発明は、上述した課題の少なくとも１つを解決するためになされたものであり、突出状態及び収納状態に変化し得る操作パネル部を備えたガスコンロにおいて、操作パネル部の操作面が露出した状態にあるときに操作面を明るく照らすことができる構成を、より簡易に実現することを目的とするものである。
【課題を解決するための手段】
【０００７】
本発明の一つであるガスコンロは、ガスバーナと、前記ガスバーナを収容する筐体部と、を備えたガスコンロであって、前記筐体部に固定され、前記ガスコンロの前面部の一部をなす上パネル部と、前記上パネル部の下側に設けられ、所定の第１位置と、前記第１位置のときよりも少なくとも一部が前方側に位置する第２位置と、の間で変位する下パネル部と、所定の操作面を有するとともに前記下パネル部と一体的に変位する構成をなし、前記下パネル部が前記第２位置にあるときに少なくとも一部が前記上パネル部よりも前側に突出し且つ前記操作面が上側を向くように配置される突出位置となり、前記下パネル部が前記第１位置のときに前記突出位置のときよりも後方側に退避した収納位置となる操作パネル部と、前記上パネル部の前面よりも後方側に設けられる光源と、を備え、前記操作パネル部が前記突出位置にある状態で前記光源から照明光が照射されたときに、前記光源からの照明光の少なくとも一部が前記操作面に照射される。
【発明の効果】
【０００８】
本発明の一つである上記ガスコンロは、上パネル部の前面よりも後方側に光源が設けられ、操作パネル部が突出位置にある状態で光源から照明光が照射されたときに、光源からの照明光の少なくとも一部が操作面に照射される構成となっている。この構成により、ガスコンロ外に特別な専用照明を設けなくても、上パネル部の後方側に組み込まれた光源からの光を利用して操作面を明るく照らし得る。よって、突出状態及び収納状態に変化し得る操作パネル部を備えたガスコンロにおいて、操作面が露出した状態にあるときに操作面を明るく照らすことができる構成を、ガスコンロ外の特別な専用装置を用いずにより簡易に実現することができる。
【図面の簡単な説明】
【０００９】
【図１】実施例１のガスコンロを概略的に例示する正面図である。
【図２】実施例１での各ガスバーナへのガス供給路等を概念的に示す説明図である。
【図３】実施例１のガスコンロの電気的構成を具体的に例示するブロック図である。
【図４】下パネル部が第１位置のときの図１のＡ−Ａ断面の一部を示す拡大断面図である。
【図５】下パネル部が第２位置のときの図１のＡ−Ａ断面の一部を示す拡大断面図である。
【図６】下パネル部が第１位置のときの図１のＢ−Ｂ断面の一部を示す拡大断面図である。
【図７】下パネル部が第２位置のときの図１のＢ−Ｂ断面の一部を示す拡大断面図である。
【発明を実施するための形態】
【００１０】
本発明の好ましい形態を以下に例示する。但し、本発明は以下の例に限定されない。
本発明の一つであるガスコンロは、光源の前側且つ下側に配置されるとともに光源から照射される照明光を前方側に透過させる透過部を備えていてもよい。そして、透過部は、上パネル部における下端側の一部として、又は上パネル部と下パネル部との間に配置された構成で設けられていてもよい。このようにすれば、上パネル部における下端側の一部又は上パネル部と下パネル部との間のスペースを利用して透過部を配置し、光源から操作面へと光を導出するための経路を確実に確保することができる。
この場合、透過部の前面と上パネル部の前面とが面一状に配置されていてもよい。このようにすれば、透過部と上パネル部との一体性を高めることができ、透過部を設けることによって美観が損なわれることを防ぐことができる。
【００１１】
本発明の一つであるガスコンロは、操作パネル部が収納位置又は突出位置のいずれの位置であるかを検知する検知部と、検知部の検知結果に基づき、操作パネル部が収納位置にある場合に光源を非照射状態とし、操作パネル部が突出位置にある場合に光源を照射状態にする制御を行う制御部と、を備えていてもよい。このようにすれば、ユーザは「操作パネル部を突出位置に変位させる」という簡単な操作を行うだけで光源を照射状態に切り替えることができ、操作パネル部を突出位置に変位させる操作とは別で複雑な専用操作を行わずとも操作面に照明光を照射することが可能となる。
【００１２】
＜実施例１＞
以下、実施例１について、図面を参照して説明する。
１．ガスコンロ１の概要
まず、ガスコンロ１について説明する。図１のように、ガスコンロ１は、調理鍋等の調理器具を加熱可能なビルトインコンロとして構成されている。ガスコンロ１は、コンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前面部２Ａに固定される上パネル部７０Ａ，７０Ｂおよび下パネル部８０Ａ，８０Ｂとを備えている。以下の説明では、ガスコンロ１において、天板３の板厚方向を上下方向とし、上パネル部７０Ａ，７０Ｂの板厚方向を前後方向とし、上下方向および前後方向に直交する方向を左右方向として説明する。図１では、左右方向がガスコンロ１の左右方向であり、上下方向がガスコンロ１の上下方向である。また、図４〜７では、左右方向がガスコンロ１の前後方向であり、上下方向がガスコンロ１の上下方向である。
【００１３】
ガスコンロ１は、コンロ本体部１Ａの上面を構成する天板３（トッププレート）から露出するように、右コンロ部４Ａ、左コンロ部４Ｂ、後コンロ部４Ｃがそれぞれ設けられている。天板３の下方においてコンロ本体部１Ａの内部中央付近にはグリル５が設けられ、グリル扉５Ｂによって開閉可能とされている。右コンロ部４Ａ、左コンロ部４Ｂ、後コンロ部４Ｃ、グリル５には、図２で示すガスバーナ５１，５２，５３，５４が設けられ、ガスバーナ５１，５２，５３，５４には、分岐供給路６１，６２，６３，６４がそれぞれ接続され、これら分岐供給路６１，６２，６３，６４は、共通供給路６０から分岐する。共通供給路６０には、共通供給路６０を開閉する元電磁弁Ｎ１が設けられ、各分岐供給路６１，６２，６３には、各分岐供給路６１，６２，６３を開閉可能な電磁弁（安全弁）５１Ｇ，５２Ｇ，５３Ｇ、閉止弁５１Ｆ，５２Ｆ，５３Ｆ、火力調整弁５１Ｅ，５２Ｅ，５３Ｅがそれぞれ設けられている。安全弁５１Ｇ、閉止弁５１Ｆ、火力調整弁５１Ｅは、ステッピングモータＭ１によって駆動され、安全弁５２Ｇ、閉止弁５２Ｆ、火力調整弁５２Ｅは、ステッピングモータＭ２によって駆動され、安全弁５３Ｇ、閉止弁５３Ｆ、火力調整弁５３Ｅは、ステッピングモータＭ３によって駆動される。グリル５のガスバーナ５４（グリルバーナ）は、グリル５内において上側に配置される上バーナ５４Ａと、下側に配置される下バーナ５４Ｂとを備え、共通供給路６０から分岐してガスバーナ５４にガスを導く分岐供給路６４からは、上バーナ５４Ａにガスを導く第１供給路６５Ａと、下バーナ５４Ｂにガスを導く第２供給路６５Ｂとが分岐し、電磁弁５４Ｇ、閉止弁５４Ｆ、電磁弁５４Ｈ，５４Ｊ，５４Ｋによってガス供給が制御される。
【００１４】
右コンロ部４Ａ、左コンロ部４Ｂ、後コンロ部４Ｃ、グリル５のそれぞれに対応して、それぞれの点火、消火、火力調整を行うための４つの回転操作部６Ａ，６Ｂ，６Ｃ，６Ｄと、各回転操作部に対応するスイッチ３０Ａ，３０Ｂ，３０Ｃ，３０Ｄと、各スイッチに対応する点火信号入力回路４０Ａ，４０Ｂ，４０Ｃ，４０Ｄと、各回転操作部に対応する変位検出部３２Ａ，３２Ｂ，３２Ｃ，３２Ｄと、各変位検出部に対応する火力信号入力回路４２Ａ，４２Ｂ，４２Ｃ，４２Ｄとがそれぞれ設けられている。更に、各ガスバーナ５１，５２，５３，５４のそれぞれに隣接してイグナイタ２６Ａ，２６Ｂ，２６Ｃ，２６Ｄ（図３参照）が設けられ、各イグナイタに対応してイグナイタ回路４６Ａ，４６Ｂ，４６Ｃ，４６Ｄがそれぞれ設けられている。制御回路１０は、例えばマイクロコンピュータとして構成され、ＣＰＵ１０Ａ、ＲＯＭ１０Ｂ、ＲＡＭ１０Ｃなどを備える。制御回路１０は、上述した各電磁弁、イグナイタ２６Ａ，２６Ｂ，２６Ｃ，２６Ｄ、モータＭ１，Ｍ２，Ｍ３，Ｍ４、不揮発性メモリ１６などを制御し得る。操作部１８は、操作ボタンやタッチパネルなどの公知の入力インタフェースによって構成される。電源回路４８は電池ボックスに収容された電池４９（例えば２つの乾電池）からの電力供給を受け、所定の電源電圧を生成する。
【００１５】
２．特徴構成
次に、特徴構成について説明する。
ガスコンロ１は筐体部２を備えており、この筐体部２は、上方側が開放した箱状に構成されている。筐体部２は、ガスコンロ１の外壁をなす外壁部と、この外壁部に固定された板部やフレーム部などによって構成されている。筐体部２は、左右に一対の側壁部（図示略）を備えるとともに、これら側壁部の後端部に連結される形で後壁部（図示略）が設けられている。また、筐体部２の前面部２Ａは金属部材や樹脂部材によってフレーム状又は壁状に構成されており、これら前面部、側壁部、後壁部によって筐体部２の内部空間の前後左右を囲む構成をなし、これら前面部、側壁部、後壁部の下部には底壁部２Ｂが連結されている。
【００１６】
次に、各パネル部７０Ａ，７０Ｂ，８０Ａ，８０Ｂについて説明する。ここでは、上パネル部７０Ａおよび下パネル部８０Ａについて説明し、上パネル部７０Ｂおよび下パネル部８０Ｂは、それぞれ上パネル部７０Ａおよび下パネル部８０Ａと同様の構成であるため、説明を省略する。
【００１７】
上パネル部７０Ａは、筐体部２に固定され、ガスコンロ１の前面部の一部をなすパネル体である。図４、図５に示すように、上パネル部７０Ａは、筐体部２の前面部２Ａの上端側に取り付けられている。上パネル部７０Ａは、図１に示すように、回転操作部６Ａ，６Ｄを板厚方向に貫通させるための２つの孔部を有しており、これらの孔部を介して回転操作部６Ａ，６Ｄを前方に露出させている。上パネル部７０Ａの下端部の中央側部分は、透過部７４によって構成されている。図４のように、上パネル部７０Ａは、樹脂材料などによって構成されるパネル本体７１Ａと金属材料などによって構成される装飾板７１Ｂとを備える。図４のように、上パネル部７０Ａの下端部付近には、装飾板７１Ｂとパネル本体７１Ａとによって内縁部が構成される孔部７５が形成され、この孔部７５に嵌め込まれる形で透過部７４の一部（下板部７４Ｂ）が配置されている。
【００１８】
下パネル部８０Ａは、図４、図５に示すように、上パネル部７０Ａの下側に設けられたパネル体であり、所定の第１位置（図４、図５）と、第１位置のときよりも少なくとも一部が前方側に位置する第２位置（図６、図７）と、の間で変位し得る。下パネル部８０Ａは、パネル本体と装飾板とによって板状に構成されている。下パネル部８０Ａは、後述するフレーム８１に固定されており、フレーム８１と共に一体的に変位し得る。
【００１９】
フレーム８１は、下パネル部８０Ａを支持する支持壁部８２と支持壁部８２から延びるとともに操作パネル部９０を支持する延設部８３とを備える。支持壁部８２の上端部及び延設部８３の端部付近に操作パネル部９０が固定されている。支持壁部８２は、下パネル部が第１位置にあるときに下パネル部の後方側に立ち上がる状態で配置される板状の壁部であり、下パネル部が第２位置にあるときには前側に傾倒する構成をなす。下パネル部８０Ａは、後面が支持壁部８２の前面に密着した状態で支持壁部８２の前側に固定されている。
【００２０】
操作パネル部９０は、使用者が各種操作を行うためのパネル体であり、所定の操作面９０Ａを有するパネル体である。操作パネル部９０は、下パネル部８０Ａ及びフレーム８１と一体に構成され、下パネル部８０Ａ及びフレーム８１と一体的に変位（回転）する構成をなす。操作パネル部９０は、バーナを用いた調理機能やタイマ調理機能などを実行するための操作などに使用されるパネルであり、操作面９０Ａに図３で示す操作部１８（複数の押圧ボタンなど）が設けられ、ユーザが操作部１８を操作することによって、各種機能の設定を行い得るようになっている。操作パネル部９０は、パネル本体９２Ａと装飾カバー９２Ｂとを備え、フレーム８１に取り付けられている。パネル本体９２Ａには、操作部１８を構成する要素（複数の押圧ボタンなど）が組み込まれており、複数の押圧ボタンは、装飾カバー９２Ｂの裏面に接触した状態又は装飾カバー９２Ｂの外側に露出した状態で配置されている。本構成では、装飾カバー９２Ｂの表面や押圧ボタンの表面によって操作パネル部９０の表面（操作面９０Ａ）が構成されている。
【００２１】
このように下パネル部８０Ａと操作パネル部９０とフレームとが一体的に連結された構成で操作ユニットが構成されており、この操作ユニットは、下パネル部８０Ａの下端部付近に定められた回転軸Ｇを中心に回転自在に設けられている。操作ユニットが回転軸Ｇを中心に回転することで、下パネル部８０Ａは、図４、図５に示す起立した状態となる第１位置と、図６、図７に示す傾倒した状態となる第２位置と、の間で変位する。下パネル部８０Ａは、図６、図７に示すように、第２位置では、第１位置に位置するときよりも上端部側が前方側に位置している。なお、下パネル部８０Ａは、図示は省略するが、第１位置にあるときに、筐体部２の前面部２Ａに係脱可能になっており、筐体部２の前面部２Ａに係止することによって第１位置で位置が固定される。操作パネル部９０は、操作パネル部９０の前端部は、支持壁部８２の上端部に隣接している。操作パネル部９０の後端部は、後上方に向かうように突出する第２突部９０Ｂが形成されている。
【００２２】
操作パネル部９０は、図６、図７に示すように、下パネル部８０Ａが第２位置にあるときに少なくとも一部（具体的には、第２突部９０Ｂとその近傍を除いたほぼ全体）が上パネル部よりも前側に突出し且つ操作面９０Ａが上側を向くように配置される突出位置となり、図４、図５に示すように、下パネル部８０Ａが第１位置のときに突出位置のときよりも後方側に退避した収納位置となる。操作パネル部９０が突出位置にあるときには、操作面９０Ａが上側を向き、前方に向かうにつれて低位置となるように傾斜する。また、操作パネル部９０の第２突部９０Ｂが、筐体部２の第１突部２Ｅに後方から当接することで、操作パネル部９０の突出位置より前方への変位が規制される。これにより、下パネル部８０Ａは、第２位置よりも前方に回転することが規制される。
【００２３】
光源７２は、例えばＬＥＤであり、図４、図５に示すように、上パネル部７０Ａの前面（装飾板７１Ｂの前面）よりも後方側に設けられている。回路基板７３は、光源７２が実装される基板であり、光源７２を前方側の所定方向に向けるように所定の姿勢で固定されている。これにより、光源７２は、上パネル部７０Ａの後方側に設けられている。また、回路基板７３は、前方に向かうにつれて高位置となるように傾斜し、光源７２が実装される基板面が前側且つ下側を向くように斜め下向きで配置される。光源７２は、左右方向におけるサイズが孔部７５よりも小さい。光源７２は、孔部７５における左右方向の中央部分の後方に位置している。光源７２は、前側且つ下側に向かって照明光を照射するように配置されている。具体的には、光源７２は、孔部７５を後上方から前下方に向かって貫通するように、照明光（図６の矢印Ｌ参照）を照射する配置になっている。
【００２４】
透過部７４は、光源７２からの照射光を透過させる部材であり、例えば光透過性の樹脂によって、板状に形成されている。透過部７４は、図４、図５に示すように、上パネル部７０Ａの下端側の一部に設けられている。具体的には、透過部７４は、平板状の上板部７４Ａと、平板状の下板部７４Ｂと、によって構成され、側面視で略クランク状になっている。上板部７４Ａは、図４に示すように、上パネル部７０Ａの後面に接している。下板部７４Ｂは、孔部７５内に位置している。また、透過部７４は、前面（下板部７４Ｂの前面）が上パネル部７０Ａの前面に対して面一状に配置されている。これにより、透過部７４は、上パネル部７０Ａとの一体性を得ることができ、上パネル部７０Ａの下端側に設けられることによって美観が損なわれることを防ぐことができる。
【００２５】
検知スイッチＳＷは、検知部の一例に相当し、操作パネル部９０の位置を検知する機能を有する。検知スイッチＳＷは、スイッチやセンサによって構成されており、例えば、操作パネル部９０が収納位置にあるときには、制御部９１に接続された所定の信号線に第１信号（非検知信号）が入力されるようになっている。検知スイッチＳＷは、図４、図５に示すように、例えば筐体部２内に配置されている。制御部９１は、例えば公知のマイクロコンピュータとして構成されている。制御部９１は、制御回路１０によって構成されていてもよく、制御回路１０とは別の制御回路として構成されていてもよい。具体的には、上記信号線に閾値電圧以下の電圧（例えば、０Ｖ）が印加される。一方、操作パネル部９０が突出位置にあるときには、制御部９１に接続された上記信号線に第２信号（検知信号）が入力されるようになっている。具体的には、上記信号線に閾値電圧を超える電圧（例えば、５Ｖ）が印加される。
【００２６】
なお、検知スイッチＳＷ及び周辺回路は、このような切り替えを行い得る構成であれば特に限定されず、様々な部品や回路構成を採用することができる。例えば、検知スイッチＳＷがボタン式スイッチで構成されている場合、操作パネル部９０が収納位置にあるときに操作パネル部９０によって検知スイッチＳＷが押され、このとき、検知スイッチＳＷは、上記信号線と所定のグランド線とを接続するようにオン動作することで、信号線に第１信号（例えば、０Ｖの非検知信号）が印加される。なお、図示は省略するが、操作パネル部９０、または操作パネル部９０と連動する部材によって検知スイッチＳＷが押される構成となっている。一方、操作パネル部９０が突出位置にあるときには操作パネル部９０によって検知スイッチＳＷが押されず、このときには、検知スイッチＳＷは、上記信号線をグランド線と電気的に絶縁するようにオフ動作することで、信号線に第２信号（例えば、０Ｖよりも大きい検知信号）が印加される。この場合、例えば、所定の定電圧電源ラインから抵抗を介して信号線に第２信号（例えば５Ｖの検知信号）が印加されるようになっていればよい。制御部９１は、検知スイッチＳＷの動作によって第１信号が入力されている場合、即ち、操作パネル部９０が収納位置にある場合に光源７２をオフ状態（非照射状態）とし、操作パネル部９０が突出位置にある場合に光源７２をオン状態（照射状態）とする。
【００２７】
次に、操作パネル部９０の操作について説明する。
図４、図５に示すように、下パネル部８０Ａが第１位置にある状態では、操作パネル部９０が収納位置にあり、操作パネル部９０によって検知スイッチＳＷが押されてオン動作し、光源７２がオフ状態（非照射状態）となっている。そして、下パネル部８０Ａが第１位置にある状態で操作パネル部９０を操作する際、例えば、下パネル部８０Ａの上端部を前方に引き出すことで、下パネル部８０Ａを第１位置から第２位置に回転させる。すると、下パネル部８０Ａは、起立した状態から、回転軸Ｇを中心に回転し、図６、図７に示す傾倒した状態となる。このとき、操作パネル部９０は、下パネル部８０Ａと一体的に回転し、図４、図５に示す収納位置から図６、図７に示す突出位置に変位する。これにより、操作面９０Ａは、前側且つ上側を向く配置となる。なお、操作パネル部９０の第２突部９０Ｂが、筐体部２の第１突部２Ｅに後方から当接することで、操作パネル部９０の突出位置より前方への変位が規制されている。
【００２８】
そして、操作パネル部９０が突出位置に変位すると、操作パネル部９０が検知スイッチＳＷから離れることで検知スイッチＳＷがオフ動作し、光源７２がオン状態（照射状態）となる。これにより、光源７２は、図６、図７に示す矢印Ｌのように、照明光を後上方から操作面９０Ａに照射する。具体的には、光源７２は、操作面９０Ａの傾斜よりも上下方向の傾斜角度が大きい照射角度（操作面９０Ａと矢印Ｌが交差する角度）で、上方から照明光を照射する。そのため、操作面９０Ａ上の広い領域が、照明光によって照らされることになる。
【００２９】
また、下パネル部８０Ａを第１位置から第２位置に回転することに応じて、検知スイッチＳＷが押圧されなくなり、光源７２がオフ状態（非照明状態）からオン状態（照明状態）に自動的に切り替わる。そのため、操作パネル部９０をより簡単に明るい状態にすることができ、暗い状態で操作せざるを得ない状況に起因する操作ボタンの押し間違えや、操作ボタンの確認に手間取ることに起因する迅速性の低下や操作負担の増大を抑制することができる。
【００３０】
操作パネル部９０の操作が終了した後は、下パネル部８０Ａを、回転軸Ｇを中心に第２位置から第１位置に回転させ、筐体部２の前面部２Ａに係止させることで、操作パネル部９０を突出位置から収納位置に変位させる。これにより、操作パネル部９０が検知スイッチＳＷを押圧して、検知スイッチＳＷがオン動作し、光源７２がオフ状態（非照射状態）となる。
【００３１】
ここで、本構成の効果を例示する。
ガスコンロ１は、操作パネル部９０が突出位置にある状態で光源７２から照明光が照射されたときに、光源７２からの照明光の少なくとも一部が操作面９０Ａに照射される構成となっている。このような構成であるため、ガスコンロ外に特別な専用照明を設けなくても、上パネル部７０Ａの後方側に組み込まれた光源７２からの光を利用して操作面９０Ａを明るく照らすことができる。よって、突出状態及び収納状態に変化し得る操作パネル部９０を備えたガスコンロ１において、操作面９０Ａが露出した状態にあるときに操作面９０Ａを明るく照らすことができる構成を、ガスコンロ外の特別な専用装置を用いずにより簡易に実現することができる。特に、操作面９０Ａが露出した状態のときこの操作面９０Ａを明瞭な状態で確認し易くなるため、暗い状態で操作することに起因する操作部１８の押し間違え等を防ぎやすくなる。
また、上パネル部７０Ａにおける下端側の一部として透過部７４が設けられ、上パネル部７０Ａにおける下端側の一部を利用して光源７２から操作面９０Ａへと光を導出するための経路を確実に確保することができる。なお、透過部７４を上パネル部７０Ａの一部として設けるのではなく、上パネル部７０Ａと別体として構成し、上パネル部７０Ａと下パネル部８０Ａとの間に配置してもよい。このようにしても同様の効果が得られる。
また、透過部７４の前面と上パネル部７０Ａの前面とが面一状に配置されているため、透過部７４と上パネル部７０Ａとの一体性を高めることができ、透過部７４を設けることによって美観が損なわれることを防ぐことができる。
更に、ユーザが「操作パネル部９０を突出位置に変位させる」という簡単な操作を行うだけで光源７２を照射状態に切り替えることができる構成であり、操作パネル部９０を突出位置に変位させる操作とは別で複雑な専用操作を行わずとも操作面９０Ａに照明光を照射することが可能となる。
【００３２】
＜他の実施例＞
本発明は上記記述及び図面によって説明した実施例に限定されるものではなく、例えば次のような例も本発明の技術的範囲に含まれる。
実施例１では、下パネル部８０Ａを第２位置から第１位置に回転させて、操作パネル部９０を収納位置に収納することで、光源７２からの照明光の照射が停止する構成を例示したが、操作パネル部９０の収納前に光源７２からの照射を停止する制御を行ってもよい。
実施例１では、下パネル部８０Ａが回転軸Ｇを中心に回転する構成を例示したが、下パネル部８０Ａは、上パネル部７０Ａの下方に位置する第１位置と、第１位置よりも前方にスライド移動した第２位置と、の間で変位する構成であってもよい。
実施例１では、検知スイッチＳＷとして、操作パネル部９０による押圧作用をセンサで検知する構成を示したが、操作パネル部９０が収納位置にあるか突出位置にあるかを検知し得る部品であればよく、例えば、公知の光電センサや近接センサなどによって構成してもよい。
実施例１では、光源７２は、左右方向のサイズが孔部７５よりも小さい構成であったが、孔部７５と同程度であってもよい。
実施例１では、ガスコンロの例としてビルトインコンロを例示したが、テーブルコンロであってもよい。また、ガスバーナの数は４つよりも多くても少なくてもよい。
【符号の説明】
【００３３】
１…ガスコンロ、２…筐体部、２Ａ…前面部、５１〜５４…ガスバーナ、７０Ａ…上パネル部、７２…光源、７４…透過部、８０Ａ…下パネル部、９０…操作パネル部、９０Ａ…操作面、９１…制御部、ＳＷ…検知スイッチ（検知部）
【図１】
2020051663.tif 000003
【図２】
2020051663.tif 000004
【図３】
2020051663.tif 000005
【図４】
2020051663.tif 000006
【図５】
2020051663.tif 000007
【図６】
2020051663.tif 000008
【図７】
2020051663.tif 000009